(57)【要約】【課題】容易に着脱でき、かつ、多様な使い方が可能になるドリンクホルダーを提供する。【解決手段】  縦向きフレーム２にドリンクボトルＢのホルダー３を組み付け、前記縦向きフレーム２の反ホルダー側上端部にフック４を一体的に形成してドリンクホルダーを構成する。上記ホルダー３をドリンクボトルＢの胴部を保持する上部枠体３Ａと当該ドリンクボトルＢの底部を受け止める下部枠体３Ｂとから構成し、上部枠体３Ａと下部枠体３ＢをドリンクボトルＢの保持姿勢と折り畳み姿勢とに変形可能に構成する。【選択図】図１
0003143578.tif 000002
【実用新案登録請求の範囲】
【請求項１】
縦向きフレーム（２）にドリンクボトル（Ｂ）のホルダー（３）を組み付けて構成したドリンクホルダーにおいて、
前記縦向きフレーム（２）の反ホルダー側上端部にフック（４）を一体的に形成したことを特徴とするドリンクホルダー。
【請求項２】
請求項１に記載したドリンクホルダーにおいて、
前記ホルダー（３）は、前記ドリンクボトル（Ｂ）の胴部を保持する上部枠体（３Ａ）と当該ドリンクボトル（Ｂ）の底部を受け止める下部枠体（３Ｂ）とから構成され、
上記上部枠体（３Ａ）と下部枠体（３Ｂ）の各基端部を、前記縦向きフレーム（２）の上部と下部にそれぞれ設けた上部枢着部（２Ａ）と下部枢着部（２Ｂ）に対してそれぞれ上下回動自在に連結し、
上記上部枠体（３Ａ）と下部枠体（３Ｂ）の各遊端部（３Ａａ・３Ｂａ）を、上記上部枢着部（２Ａ）と下部枢着部（２Ｂ）の上下間距離と略同寸法に形成した連接竿（３Ｃ）により回動自在に連接し、
上記上部枠体（３Ａ）と下部枠体（３Ｂ）を、前記縦向きフレーム（２）に対して略水平に突出する前記ドリンクボトル（Ｂ）の保持姿勢と、当該下部枠体（３Ｂ）が上記縦向きフレーム（２）に沿った状態に折り畳まれ、当該上部枠体（３Ａ）が下部枠体（３Ｂ）に対して重ね合わせた状態に折り畳まれる折り畳み姿勢と、に変形可能に構成したことを特徴とするドリンクホルダー。
【考案の詳細な説明】
【技術分野】
【０００１】  本考案は、例えば飲料水やジュース、スポーツドリンク等の各種ドリンクが収容されたドリンクボトルを保持するのに用いられるドリンクホルダーに関するものである。
【背景技術】
【０００２】  今日では水筒代わりにドリンクボトルを持ち歩く。その際にドリンクボトルはバッグの中に入れるが、車や自転車等で出かけるときは、ドリンクホルダーで保持させるのが一般的である。【０００３】  この種のドリンクホルダーは、例えば特許文献１（以下「従来例」という）に示すものが知られている。それは縦向きフレームにドリンクボトルのホルダーを組み付け、当該縦向きフレームを自転車のフレーム（具体的にはハンドルステム）に固定具で固定するように構成されている。
【特許文献１】  特開２００７−０９１２０３
【考案の開示】
【考案が解決しようとする課題】
【０００４】  上記従来例では、縦向きフレームを自転車のハンドルステムに固定具で固定するように構成されていることから、ドリンクホルダーの着脱が容易でない。即ち、この種のドリンクホルダーは、自転車のフレームに限らず、自転車の荷物かごやかばん、ズボンのベルト等多様な使い方ができれば至便である。【０００５】  本考案はこのような事情を考慮してなされたもので、ドリンクホルダーを容易に着脱でき、かつ、多様な使い方が可能になるドリンクホルダーを提供することを目的とする。
【課題を解決するための手段】
【０００６】  本考案は前記課題を解決するものとして以下のように構成される。
即ち、請求項１に記載の考案は、縦向きフレーム２にドリンクボトルＢのホルダー３を組み付けて構成したドリンクホルダーにおいて、前記縦向きフレーム２の反ホルダー側上端部にフック４を一体的に形成したことを特徴とするものである。【０００７】  請求項２に記載の考案は、上記請求項１に記載したドリンクホルダーにおいて、前記ホルダー３をドリンクボトルＢの保持姿勢と折り畳み姿勢とに変形可能に構成したことを特徴とするものである。即ち、前記ホルダー３を、前記ドリンクボトルＢの胴部を保持する上部枠体３Ａと当該ドリンクボトルＢの底部を受け止める下部枠体３Ｂとから構成する。そして上部枠体３Ａと下部枠体３Ｂの各基端部を、前記縦向きフレーム２の上部と下部にそれぞれ設けた上部枢着部２Ａと下部枢着部２Ｂに対して、それぞれ上下回動自在に連結する。そして上部枠体３Ａと下部枠体３Ｂの各遊端部３Ａａ・３Ｂａを、上部枢着部２Ａと下部枢着部２Ｂの上下間距離と略同寸法に形成した連接竿３Ｃにより回動自在に連接する。そして上部枠体３Ａと下部枠体３Ｂを、縦向きフレーム２に対して略水平に突出するドリンクボトルＢの保持姿勢と、当該下部枠体３Ｂが縦向きフレーム２に沿った状態に折り畳まれ、当該上部枠体３Ａが下部枠体３Ｂに対して重ね合わせた状態に折り畳まれる折り畳み姿勢とに変形可能に構成する。
【考案の効果】
【０００８】  請求項１に記載の考案では、縦向きフレーム２にドリンクボトルＢのホルダー３を組み付けて構成したドリンクホルダーにおいて、前記縦向きフレーム２の反ホルダー側上端部にフック４を一体的に形成したことから、当該ドリンクホルダー１は吊り下げ姿勢で用いられる。例えば、上記フック４を自転車の荷物かごやかばん、ズボンのベルト等に、あるいはデスクの引き出しの側部に引っ掛ける等、ドリンクホルダ１ーを容易に着脱でき、かつ、多様な使い方が可能になるので至便である。【０００９】  また、請求項２に記載の考案では、前記ホルダー３をドリンクボトルＢの保持姿勢と折り畳み姿勢とに変形可能に構成したことから、ドリンクボトルＢを廃棄した後、当該ドリンクホルダー１を持ち歩く際に嵩張らないという利点がある。
【考案を実施するための最良の形態】
【００１０】  以下、本考案の好ましい実施形態について添付図面を参照しながら詳細に説明する。
尚、以下の実施形態では、技術的に好ましい種々の部材が付加されているが、本考案の技術的範囲は、以下の説明において特に限定する旨の記載がない限り、これらの態様に限られるものではない。【００１１】  図１は本考案の実施形態に係るドリンクホルダーの側面図、図２はそのドリンクホルダーの斜視図である。このドリンクホルダー１は、図示するように、前記従来例と同様の基本的な構成を備えている。即ち、縦向きフレーム２と、折り畳み式のホルダー３とを備えている。上記ドリンクホルダー１を構成する縦向きフレーム２と折り畳み式のホルダー３は、例えばステンレススチール等の金属材料により構成されるが、ドリンクボトルＢを保持するのに必要な剛性を備えるものであれば金属以外の材料、例えば合成樹脂材料により構成することもできる。【００１２】  本考案は、上記縦向きフレーム２の反ホルダー側上端部にフック４を一体的に形成した点に特徴がある。ここで「一体的に形成した」とは、「縦向きフレーム２とフック４を一体に形成した」場合や「縦向きフレーム２にフック４を溶接等により固着して一体となるように形成した」場合を含むことを意味する。これにより、ドリンクホルダー１を容易に着脱でき、かつ、多様な使い方が可能になるので至便である。【００１３】  以下、このドリンクホルダー１の各部の具体的な構成について詳細に説明する。上記縦向きフレーム２は、そのホルダー側上部に一体に形成した上部枢着部２Ａと、ホルダー側下部に一体に形成した下部枢着部２Ｂと、その反ホルダー側上端部に一体に形成したフック４とを備えている。ここで、符号２ａは縦向きフレーム２の中央部に縦向きに形成した補強リブを示す。この補強リブ２ａを設けることにより、縦向きフレーム２の厚みを半減して強度を増すことができる。また、二点鎖線で示す符号５は、自転車の荷物かごやかばん、ズボンのベルト等の被掛止体を示す。【００１４】  前記折り畳み式のホルダー３は、ドリンクボトルＢの胴部を保持する上部枠体３Ａと、当該ドリンクボトルＢの底部を受け止める下部枠体３Ｂと、上部枠体３Ａと下部枠体３Ｂの回動中心から最も遠い各遊端部３Ａａ・３Ｂａ同士を相互に連接する連接竿３Ｃと、折り畳み姿勢を維持する掛止具３Ｄとから構成されている。【００１５】  上部枢着部２Ａは、前記縦向きフレーム２の上部の左右両側に一対の支持片２Ａａ・２Ａａを略直角に折り曲げて一体に形成し、この支持片２Ａａ・２Ａａに上部枠体３Ａの基端部が上下回動自在に枢支される枢支孔２Ａｂ・２Ａｂをあけて構成されている。また、下部枢着部２Ｂは、前記縦向きフレーム２の下部の左右両側に一対の支持片２Ｂａ・２Ｂａを略直角に折り曲げて一体に形成し、この支持片２Ｂａ・２Ｂａに下部枠体３Ｂの基端部が上下回動自在に枢支される枢支孔２Ｂｂ・２Ｂｂをあけて構成されている。【００１６】  上記支持片２Ｂａ・２Ｂａの枢支孔２Ｂｂ・２Ｂｂよりも下位には、下部枠体３Ｂの基端寄り部分を受け止めて当該下部枠体３Ｂを略水平姿勢に規制する一対の規制片２Ｂｃ・２Ｂｃが当該支持片２Ｂａ・２Ｂａと一体に形成されている。即ち、一対の規制片２Ｂｃ・２Ｂｃにより下部枠体３Ｂが水平姿勢よりも下方へ回動しようとするのを阻止する。これにより、前記連接竿３Ｃで連接した上部枠体３Ａと下部枠体３Ｂを略水平姿勢に維持してドリンクボトルＢを保持する。【００１７】  上部枠体３Ａと下部枠体３Ｂは、いずれも金属製の線条体により平面視で略Ｃ字状となるように形成され、ドリンクボトルＢを上方から出し入れでき、そのドリンクボトルＢの胴部を保持し得る大きさに構成されている。なお、保温ケース等にドリンクボトルＢを入れた状態で保持し得る大きさに構成することが望ましい。また、ドリンクボトルＢの胴部の大きさに適合させて拡縮自在のベルト等から成る締結手段を、上部枠体３Ａに代えて、あるいは上部枠体３Ａとともに付設しても差し支えない。【００１８】  上部枠体３Ａの開放側基端部は、図２に示すように、略Ｃ字状に開放したその両端部を、上部枢着部２Ａの一対の支持片２Ａａ・２Ａａ間に対して挿入可能な方向及び間隔に折り曲げるとともに、上記支持片２Ａａ・２Ａａにあけた枢支孔２Ａｂ・２Ａｂと相対向する方向に向けて略直角に折り曲げてある。そして上記両端部を、上記各枢支孔２Ａｂ・２Ａｂに対して内側から挿通し、各枢支孔２Ａｂ・２Ａｂの外側に突出した当該両端部をカシメ加工等により抜け止めして上下回動自在に枢着する。下部枠体３Ｂの開放側基端部も、上部枠体３Ａの開放側基端部と同様に構成され、その両端部を、下部枢着部２Ｂの一対の支持片２Ｂａ・２Ｂａに上下回動自在に枢着する。【００１９】  下部枠体３Ｂの遊端側には受部材３Ｂｂが溶着されている。上記受部材３Ｂｂは、金属製の線条体により平面視で略Ｖ字状（あるいはＵ字状）に形成され、ドリンクボトルＢの底部を下方から受け止める大きさに構成されている。【００２０】  前記連接竿３Ｃは、上部枢着部２Ａと下部枢着部２Ｂの上下間距離と略同寸法に形成され、その連接竿３Ｃの両端部は上部枠体３Ａと下部枠体３Ｂの回動中心から最も遠い各遊端部３Ａａ・３Ｂａに回動自在に連接されている。そして上部枠体３Ａと下部枠体３Ｂは、縦向きフレーム２に対して略水平に突出するドリンクボトルＢの保持姿勢（図１参照）と、当該下部枠体３Ｂが縦向きフレーム２に沿った状態に折り畳まれ、上部枠体３Ａが下部枠体３Ｂに対して重ね合わせた状態に折り畳まれる折り畳み姿勢（図４参照）とに変形可能に構成されている。【００２１】  前記掛止具３Ｄは、図２に示すように、金属製の線条体により正面視で略Ｕ字状に形成され、その両端部は下部枢着部２Ｂの前記支持片２Ｂａ・２Ｂａよりも幅広となる間隔にして、当該支持片２Ｂａ・２Ｂａの外側において前記下部枠体３Ｂの左右基端寄り部に揺動可能に巻着されている。以下、ホルダー３を図１及び図２に示すボトル保持姿勢から図４に示す折り畳み姿勢に変形する手順について説明する。【００２２】  先ずホルダー３からドリンクボトルＢを上方へ引き抜く。次いで図３に示すように、下部枠体３Ｂを上方へ回動させ、縦向きフレーム２に沿った状態に折り畳む。このとき連接竿３Ｃで連接されている上部枠体３Ａも上方へ回動する。次いで図４に示すように、上部枠体３Ａを下方へ回動させ、当該上部枠体３Ａを下部枠体３Ｂに対して重ね合わせた状態に折り畳む。このとき連接竿３Ｃは、受部材３Ｂｂの谷間部に入り込んで当該受部材３Ｂｂの内縁部に弾圧接当する。【００２３】  次いで受部材３Ｂｂの弾発力に抗して上部枠体３Ａの遊端部又は連接竿３Ｃの上端部を掛止具３Ｄの掛止が許容される高さに押し下げ、掛止具３Ｄを上方へ回動して上部枠体３Ａの遊端部３Ａａ又は連接竿３Ｃの上端部に掛止する。これにより上部枠体３Ａと下部枠体３Ｂとを折り畳み姿勢に保持することができる。この折り畳み姿勢をボトル保持姿勢に変形するには、上記手順を逆にすればよい。【００２４】  なお、上記の実施形態では、掛止具３Ｄを用いて上部枠体３Ａと下部枠体３Ｂとを折り畳み姿勢に保持する構成について例示したが、これに代えて止め金やベルト、紐等により折り畳み姿勢保持手段を構成しても差し支えない。【００２５】  また、上記の実施形態では、ホルダー３を折り畳み可能なものについて例示したが、本考案は折り畳みできないものについても適用可能である。
【図面の簡単な説明】
【００２６】
【図１】本考案の実施形態に係るドリンクホルダーの側面図。
【図２】本考案の実施形態に係るドリンクホルダーの斜視図。
【図３】本考案の実施形態に係るドリンクホルダーの折り畳み途中を示す側面図。
【図４】本考案の実施形態に係るドリンクホルダーの折り畳み姿勢を示す側面図。
【符号の説明】
【００２７】  １…ドリンクホルダー、２…縦向きフレーム、２Ａ…上部枢着部、２Ｂ…下部枢着部、３…ホルダー、３Ａ…上部枠体、３Ｂ…下部枠体、３Ａａ・３Ｂａ…遊端部、３Ｂｂ…受部材、３Ｃ…連接竿、３Ｄ…掛止具、４…フック、Ｂ…ドリンクボトル。
【図１】
0003143578.tif 000003
【図２】
0003143578.tif 000004
【図３】
0003143578.tif 000005
【図４】
0003143578.tif 000006